(57)【要約】【課題】  ２π分の脱調の補正が行える指示計器装置を提供する。【解決手段】  ステッピングモータ１３の回転動作に連動するとともに文字板１２上を回転移動して目盛りを指示する指針１１と、回転センサ１５の検出信号に対応した制御信号を出力する制御装置１６と、前記制御信号を入力するとともにこの入力した制御信号に応じたパルス信号をステッピングモータ１３へ出力するモータ駆動回路１４と、指針１１が零点位置を指示する位置に指針１１を停止させるストッパ１９とを備え、ステッピングモータ１３はパルス信号によって回転動作して前記検出信号に対応した目盛りに指針１１を指示させる指示計器装置であって、この指示計器装置の電源オン時と電源オフ時の少なくともいずれかの時に、制御装置１６は、ステッピングモータ１３の電気角の２π以上に相当する角度だけ指針１１を零点方向に回転させる帰零制御信号を長時間かけて出力する。【選択図】  図１
2005110481.tif 000002
【特許請求の範囲】
【請求項１】
ステッピングモータの回転動作に連動するとともに文字板上を回転移動してその文字板の目盛りを指示する指針と、センサの検出信号に対応した制御信号を出力する制御装置と、前記制御信号を入力するとともにこの入力した制御信号に応じたパルス信号を前記ステッピングモータへ出力するモータ駆動回路と、前記指針が零点位置を指示する位置に指針を停止させるストッパ手段とを備え、前記ステッピングモータはパルス信号によって回転動作して前記検出信号に対応した目盛りに前記指針を指示させる指示計器装置であって、
この指示計器装置の電源オン時と電源オフ時の少なくともいずれかの時に、前記制御装置は、前記ステッピングモータの電気角の２π以上に相当する角度だけ前記指針を零点方向に回転させる帰零制御信号を長時間かけて出力することを特徴とする指示計器装置。
【請求項２】
前記長時間は１秒間であることを特徴とする請求項１に記載の指示計器装置。
【請求項３】
前記センサは回転センサであることを特徴とする請求項１または請求項２に記載の指示計器装置。
【請求項４】
ステッピングモータの回転動作に連動するとともに文字板上を回転移動してその文字板の目盛りを指示する指針と、センサの検出信号に対応した制御信号を出力する制御装置と、前記制御信号を入力するとともにこの入力した制御信号に応じたパルス信号を前記ステッピングモータへ出力するモータ駆動回路と、前記指針が零点位置を指示する位置に指針を停止させるストッパ手段とを備え、前記ステッピングモータはパルス信号によって回転動作して前記検出信号に対応した目盛りに前記指針を指示させる指示計器装置であって、
前記指針がストッパ手段により停止されていることを検知する零点検知手段を設け、
前記制御装置は、指示計器装置の電源オフ時から所定時間経過後に、前記指針を零点方向に回転させる帰零制御信号を出力させ、前記指針がストッパ手段により停止されていることを前記零点検知手段が検知した後にその帰零制御信号の出力を停止させ、
この停止の際に、前記帰零制御信号に応じたステッピングモータの電気角が徐々に前記零点位置に対応した電気角となるようにしたことを特徴とする指示計器装置。
【請求項５】
前記制御装置は、前記帰零制御信号を出力する前に、指針を所定の指示角度まで移動させることを特徴とする請求項４に記載の指示計器装置。
【発明の詳細な説明】
【技術分野】
【０００１】
この発明は、ステッピングモータによって指針を回転移動させて文字板上の目盛りに指針を指示させる指示計器装置に関する。
【背景技術】
【０００２】
従来から、ステッピングモータを用いた指示計器装置が知られている（特許文献１参照）。
【０００３】
かかる指示計器装置は、指針を回転移動させて文字板上の目盛りに指針を指示させるステッピングモータと、このステッピングモータを駆動する駆動回路と、
走行速度に応じた周波数信号に基づいて前記駆動回路を制御する処理回路等とを備えている。
【０００４】
この指示計器装置は、電源投入時に指針を固定したマグネットロータを復帰方向に１脱調角の半分の角度だけ回転させる電気角でπの復帰信号を処理回路から出力させ、この復帰信号により駆動回路が指針を帰零させて脱調による指示誤差をなくすようにしたものである。
【特許文献１】特開２０００−５０６９５号公報
【発明の開示】
【発明が解決しようとする課題】
【０００５】
しかしながら、このような指示計器装置にあっては、２π分の脱調が発生した場合、半脱調分だけしか補正することができないので、脱調による指針誤差をなくすことができないという問題があった。
【０００６】
この発明の目的は、２π分の脱調の補正が行える指示計器装置を提供することにある。
【課題を解決するための手段】
【０００７】
請求項１の発明は、ステッピングモータの回転動作に連動するとともに文字板上を回転移動してその文字板の目盛りを指示する指針と、センサの検出信号に対応した制御信号を出力する制御装置と、前記制御信号を入力するとともにこの入力した制御信号に応じたパルス信号を前記ステッピングモータへ出力するモータ駆動回路と、前記指針が零点位置を指示する位置に指針を停止させるストッパ手段とを備え、前記ステッピングモータはパルス信号によって回転動作して前記検出信号に対応した目盛りに前記指針を指示させる指示計器装置であって、
この指示計器装置の電源オン時と電源オフ時の少なくともいずれかの時に、前記制御装置は、前記ステッピングモータの電気角の２π以上に相当する角度だけ前記指針を零点方向に回転させる帰零制御信号を長時間かけて出力することを特徴とする。
【０００８】
請求項２の発明は、前記長時間は１秒間であることを特徴とする。
【０００９】
請求項３の発明は、前記センサは回転センサであることを特徴とする。
【００１０】
請求項４の発明は、ステッピングモータの回転動作に連動するとともに文字板上を回転移動してその文字板の目盛りを指示する指針と、センサの検出信号に対応した制御信号を出力する制御装置と、前記制御信号を入力するとともにこの入力した制御信号に応じたパルス信号を前記ステッピングモータへ出力するモータ駆動回路と、前記指針が零点位置を指示する位置に指針を停止させるストッパ手段とを備え、前記ステッピングモータはパルス信号によって回転動作して前記検出信号に対応した目盛りに前記指針を指示させる指示計器装置であって、
前記指針がストッパ手段により停止されていることを検知する零点検知手段を設け、
前記制御装置は、指示計器装置の電源オフ時から所定時間経過後に、前記指針を零点方向に回転させる帰零制御信号を出力させ、前記指針がストッパ手段により停止されていることを前記零点検知手段が検知した後にその帰零制御信号の出力を停止させ、
この停止の際に、前記帰零制御信号に応じたステッピングモータの電気角が徐々に前記零点位置に対応した電気角となるようにしたことを特徴とする。
【００１１】
請求項５の発明は、前記制御装置は、前記帰零制御信号を出力する前に、指針を所定の指示角度まで移動させることを特徴とする。
【発明の効果】
【００１２】
この発明によれば、２π分の脱調補正が可能となるとともに帰零の際の指針の著しい針振れを防止することができる。
【発明を実施するための最良の形態】
【００１３】
以下、この発明に係る指示計器装置の実施例を図面に基づいて説明する。
【実施例】
【００１４】
［第１実施例］
図１において、１０は車両に搭載される指示計器装置である。この指示計器装置１０は、指針１１を回転移動させて文字板１２上の目盛りに指針を指示させるステッピングモータ１３と、このステッピングモータ１３を駆動するモータ駆動回路１４と、エンジンの回転数を検出する回転センサ１５の検出信号に基づいてモータ駆動回路１４を制御する制御装置１６等とを備えている。制御装置１６は、イグニッションスイッチＳがオンされたときやオフされたときに帰零制御信号（復帰信号）Ｇをモータ駆動回路１４に出力するようになっている。
【００１５】
帰零制御信号Ｇは、ステッピングモータ１３の電気角の２πに相当する角度だけ指針１１を１秒間かけて零点方向に回転させるための制御信号である。すなわち、帰零制御信号Ｇは制御装置１６から１秒間かけて出力されることになる。つまり、制御信号Ｇ／秒である。
【００１６】
指針１１の回転軸１１Ａにはアーム１７が設けられており、このアーム１７は文字板１２の下面に設けたストッパ（ストッパ手段）１９に当接して指針１１の回転を規制し、指針１１が零点を越えてマイナス表示しないようになっている。Ｂはバッテリである。
【００１７】
［動  作］
次に、上記のように構成される指示計器装置１０の動作について説明する。
【００１８】
イグニッションスイッチＳがオンされると、制御装置１６は帰零制御信号Ｇを１秒間かけて出力する。モータ駆動回路１４はその帰零制御信号Ｇに応じたステッピングモータ１３に指針１１を２πに相当する１脱調分だけ回転させるパルス信号を出力する。このステッピングモータ１３はパルス信号により駆動して指針１１は１脱調分だけ１秒間かけて零点方向に回転していくことになる。
【００１９】
すなわち、指針１１が２π分だけ脱調（１脱調）していた場合であっても、指針１１はアーム１７がストッパ１９に当接する位置まで回転されることになるので、その１脱調の補正は確実に行われることになる。
【００２０】
また、指針１１が２πより小さな脱調をしていた場合、指針１１が電気角２πだけ回転する前にアーム１７がストッパ１９に当接し、その小さな脱調は補正されることになる。
【００２１】
また、その当接後も制御装置１６から出力される帰零制御信号Ｇに応じたパルス信号がモータ駆動回路１４から出力されてステッピングモータ１３は駆動され続ける。このため、アーム１７はストッパ１９に何回も衝突するような状態となって指針１１は小刻みに振れる状態となるが、制御装置１６から出力される帰零制御信号Ｇは１秒間かけて出力されるので、モータ駆動回路１４から出力されパルス信号も１秒間かけて出力されることになる。すなわち、モータ駆動回路１４から所定数のパルスが１秒間かけて出力されることになる。
【００２２】
このため、指針１１が零点方向に回転する速度は遅く、アーム１７がストッパ１９に衝突する速度も遅くなるので、指針１１は小刻みに著しく振れてしまうことがなく、その振れはゆっくりと行われ、指針１１の振れは目立たないものとなる。
【００２３】
イグニッションスイッチＳがオフされたとき、指針１１が帰零した後に上記と同様に制御装置１６から帰零制御信号Ｇが出力されて脱調が補正される。この補正のときも、上記と同様に指針１１の振れはゆっくりと行われ、その振れは目立たないものとなる。
【００２４】
上記実施例は、回転センサ１５が検出するエンジンの回転数を指示する指示計器装置について説明したが、これに限らず、車両速度を表示する指示計器装置や燃料計や温度計等の指示計器装置であってもよい。この場合、回転センサ１５の代わりに速度センサや残量検知センサや温度センサを使用する。
【００２５】
また、上記実施例では制御装置１６から帰零制御信号Ｇを１秒間かけて出力しているが、数秒間かけて出力してもよい。また、ストッパ１９は文字板１２の下面に設けられているが、これに限らず他の箇所に設けてもよく、指針１１に直接当てるストッパであってもよい。
【００２６】
［第２実施例］
図２は第２実施例の指示計器装置の構成を示したブロック図である。図２において、２０は指針１２がストッパ１９（図１参照）により停止されたことを検知する零位置検知手段、２１はＣＰＵ等からなる制御装置である。
【００２７】
この制御装置２１は、回転センサ１５の検出信号に基づいてステッピングモータ１３を駆動制御する駆動制御部２２と、イグニッションスイッチＳがオフされたとき所定時間経過後に脱調をリセットする脱調リセット制御部２３とを備えている。
【００２８】
［動  作］
次に、第２実施例の動作を図３のフロー図および図４のグラフを参照しながら説明する。なお、図４に示す縦軸はステッピングモータ１３の電気角を示し、この電気角が１３５度のとき指針１２（脱調がない場合）が零点を示す。
【００２９】
イグニッションスイッチＳがオフにされると、所定時間経過後に制御装置２１の脱調リセット制御部２３が動作する。そして、ステップ１では、指針１２を所定角度アップ（目盛りの値が増加する方向に移動）させる初期角度信号が脱調リセット制御部２３から出力される（図４において時点ｔ１）。この初期角度信号により、駆動制御部２２から指針１２を角度が１度（電気角１８０度）分だけ移動するパルス信号が出力され、指針１２が１度アップされる。つまり、ステッピングモータ１３の電気角は３１５度となる。
【００３０】
指針１２が所定角度移動されると、ステップ２では開始処理が行われる。すなわち、脱調リセット制御部２３から帰零制御信号が出力される（時点ｔ２）。この帰零制御信号は、指針１２を約３０m秒間で２π（ステッピングモータ１３の電気角）移動させるものである。
【００３１】
この帰零制御信号により、指針１２は零点方向へ向かって回転していくことになる。そして、ステッピングモータ１３の電気角が９０度のとき（時点ｔ３）、指針１２の回転がストッパ１９（図１参照）により停止されているか否かが零位置検知手段２０により検知される。この検知は、ステッピングモータ１３の励磁コイルＣ相１３Ａを一時的にオープンにし、この励磁コイルＣ相１３Ａに誘起される電圧のレベルから判断する（ステップ３）。
【００３２】
これは、指針１２の回転がストッパ１９により停止されると、励磁コイルＣ相１３Ａから誘起電圧は発生しないので、その誘起電圧のレベルから指針１２がストッパ１９により停止されたか否かを判断するものである。
【００３３】
零位置検知手段２０がストッパ１９により指針１２が停止されたことを検知すると、ステップ４では帰零を停止させるための減速処理を行う。
【００３４】
減速処理は、電気角が９０度の時点ｔ３から１周期（２π）を経過した時点ｔ４で行われる。この減速処理は、図４に示すようにステッピングモータ１３の電気角を−２７０度（９０度）から−２２５度（１３５度）にする際に、指針１２に加わる力が徐々に小さくなるようにするものである。なお、図４に示す点線は、実際の位相で電気角を表したものである。
【００３５】
これは、時点ｔ４では指針１２にはマイナス方向（図１に示すストッパ１９に当接する方向）に力（回転力）が加わっており、図５に示すように電気角が−２２５度になった時点で指針１２に加わるマイナス方向の力を急激にゼロにすると、すなわち帰零制御信号の出力を急に停止させてしまうと、指針１２が跳ね上がってしまうからである。
【００３６】
この跳ね上がりを防止するために、図４に示すように、時点ｔ４から時点ｔ５の期間で電気角の変化を緩やかにし、時点ｔ５から時点ｔ６までの期間では電気角を一定にし、時点ｔ６から時点ｔ７までの期間では、電気角を−３１５度（４５度）から−２２５度（１３５度）へ緩やかに上昇させて帰零制御信号の出力を停止させるものである。このようにすると、指針１２に加わるマイナス方向の力（回転力）が徐々に減少してゼロになり、指針１２の跳ね上がりが防止される。すなわち、時点ｔ４におけるステッピングモータの電気角（９０度）を徐々に零点位置に対応した電気角（１３５度）となるようにして、指針１２の跳ね上がりを防止するものである。
【００３７】
換言すれば、ステッピングモータ１３の回転力を徐々に減少させていくことにより、指針１２の跳ね上がりの防止を図ったものである。
【００３８】
電気角が９０度のときに、零位置検知手段２０がストッパ１９により指針１２が停止されたことを検知しなかった際には、時点ｔ４以後も帰零制御信号を出力し続け、電気角が再度９０度になったとき、零位置検知手段２０がストッパ１９により指針１２が停止されたことを検知し、上記と同様にして帰零制御信号の出力を停止し、指針１２の跳ね上がりも防止される。
【００３９】
このように、ストッパ１９により指針１２が停止されたことを零位置検知手段２０が電気角が９０度のときに検知しなかった場合には、検知するまで帰零制御信号が出力され続けるので、確実に２π分の脱調補正が可能となり、しかも指針１２の跳ね上がりも防止することができる。
【００４０】
そして、脱調の補正が終了するとステップ５では終了処理が行われて終了する。
【図面の簡単な説明】
【００４１】
【図１】この発明に係る指示計器装置の構成を示したブロック図である。
【図２】第２実施例の指示計器装置の構成を示したブロック図である。
【図３】第２実施例の指示計器装置の動作を示したフロー図である。
【図４】ステッピングモータの電気角と帰零制御信号との関係を示したグラフである。
【図５】帰零制御信号の出力を急に停止させた場合の不具合を説明するためのステッピングモータの電気角と帰零制御信号との関係を示したグラフである。
【符号の説明】
【００４２】
１１      指針
１２      文字板
１３      ステッピングモータ
１４      モータ駆動回路
１５      回転センサ（センサ）
１６      制御装置
１９      ストッパ（ストッパ手段）
【図１】
2005110481.tif 000003
【図２】
2005110481.tif 000004
【図３】
2005110481.tif 000005
【図４】
2005110481.tif 000006
【図５】
2005110481.tif 000007